(57)【要約】      （修正有）【課題】調光回路各種を援用するように接続することで発光ダイオードの光源を制御し、且つ電圧の逆極性及び過電圧から回路を保護することを兼ね備える隔離型調光回路構成を提供する。【解決手段】隔離型調光回路構成は、制御回路モジュール１において、センサ信号を入力する入力端子１１と制御信号を出力する出力端子１２とを設け、フォトカプラ２は、前記制御回路モジュール１の出力端子１２と光源給電回路４との間に設置し、且つ光源給電回路４は光源体５をさらに接続し、保護回路３は、第一抵抗Ｒ１及び第二抵抗Ｒ２と、第一ダイオードＤ１及び第二ダイオードＤ２とを少なくとも有し、前記第一抵抗Ｒ１は直流電源のプラス端子と第一ダイオードＤ１のアノードとの間に直列に接続して節点Ａを形成し、前記第一ダイオードＤ１のカソードは従来調光回路に接続する制御入力端子の第一終点Ｘに接続することで、過電圧保護機構を形成する。【選択図】図１
0003195920.tif 000002
【実用新案登録請求の範囲】
【請求項１】
直流電源のプラス端子とマイナス端子との間に設置し、センサ信号を入力するための入力端子と制御信号を出力することができる出力端子とを有する制御回路モジュールと、
前記制御回路モジュールの出力端子に接続する入力端子を有し、さらに光源給電回路の入力端子にそれぞれ接続する二つの出力端子を有し、且つ該光源給電回路の出力端子は、光源体に接続し、前記制御回路モジュールが出力した前記制御信号を入力し、これを操作信号に転換して出力し、前記光源給電回路が前記操作信号を入力することにより異なる出力を形成することで、前記光源体の輝度に変化を有するフォトカプラと、
第一抵抗、第二抵抗、第一ダイオード、第二ダイオード及び第三ダイオードを有し、前記第一抵抗の一端は前記直流電源のプラス端子に接続し、もう一端は第一ダイオードのアノードに接続して節点Ａを形成し、前記第一ダイオードのカソードは制御入力端子の第一終点に接続し、前記第二抵抗は前記節点Ａと前記制御回路モジュールの入力端子との間に設置し、前記第二ダイオードのカソードは前記直流電源のプラス端子に接続し、前記第二ダイオードのアノードは前記制御入力端子の第二終点に接続し、前記第三ダイオードのカソードは前記制御回路モジュールの入力端子に接続し、前記第三ダイオードのアノードは前記制御入力端子の前記第二終点に接続する保護回路と、を少なくとも包括することを特徴とする、隔離型調光回路構成。
【請求項２】
前記制御回路モジュールの入力端子は、コンデンサをさらに介して前記直流電源のマイナス端子に接続することで、前記コンデンサが前記第二抵抗とＲＣ回路を形成することを特徴とする、請求項１に記載の隔離型調光回路構成。
【請求項３】
前記保護回路は、前記制御入力端子の前記第二終点と前記直流電源のマイナス端子との間に設置する過負荷保護素子をさらに有することを特徴とする、請求項１に記載の隔離型調光回路構成。
【請求項４】
前記過負荷保護素子は、ヒューズであることを特徴とする、請求項３に記載の隔離型調光回路構成。
【請求項５】
前記過負荷保護素子は、正温度係数を有するサーミスタであることを特徴とする、請求項３に記載の隔離型調光回路構成。
【請求項６】
前記光源体は、発光ダイオードであることを特徴とする、請求項１に記載の隔離型調光回路構成。
【請求項７】
前記制御回路モジュールは、電流源を組み込む回路構成であることを特徴とする、請求項１に記載の隔離型調光回路構成。
【考案の詳細な説明】
【技術分野】
【０００１】
本考案は隔離型調光回路構成、特に従来調光回路各種を援用するように接続することで発光ダイオードの光源を制御し、且つ電圧の逆極性及び過電圧から回路を保護することを兼ね備える調光回路構成に関するものである。
【背景技術】
【０００２】
周知では、例えば、タングステンランプ等従来の光源素子に用いる調光回路が使用する制御方法において、比較的簡易的なものとして、電源と該光源素子との間に直接、可変抵抗を直列に接続するものがあり、ニーズに基づき、該可変抵抗を利用して抵抗値を変化させ、前記光源素子に流れ込む電流を制御することで、前記発光素子の輝度を制御する効果を達している。
【０００３】
また、回路を利用して外部の交流電源を可変的な直流電圧（或いはＰＷＭ）制御信号に転換し、前記可変的な直流電圧（或いはＰＷＭ）制御信号を固定した負荷（従来の光源素子）に加えることで、輝度の変化を制御する効果を達している。
【０００４】
現在、従来の光源素子と発光ダイオードとは、発光原理及びこれに関わる電気的特性において顕著に異なるため、上述した従来調光回路を発光ダイオードを光源とする照明器具に直接応用することが難しく、従来調光回路を利用して発光ダイオードの輝度の調整する操作を行いたい場合、従来調光回路が用いている電気抵抗、電圧或いはＰＷＭによる調光制御方法に基づき、転換回路を新たに設ける必要があり、前記転換回路を利用して従来調光回路と前記発光ダイオードとの間に接続することで、従来調光回路が出力する、電気抵抗、電圧或いはＰＷＭ等の制御信号を、前記発光ダイオードを制御することが可能な制御信号に転換し、前記発光ダイオードの輝度を調整するという目的を達成している。
【０００５】
しかし、これには以下のような問題を有している。
第一に、現在の転換回路は、電気抵抗、電圧或いはＰＷＭ等の異なる制御方法を用いる従来調光回路に応じてそれぞれ考案しなければならない上、異なる制御方法を用いる調光回路同士で通用することもできないため、創作時間に影響を及ぼすだけでなく、コストを増加させることから、経済的利益に符合しない。
第二に、転換回路と従来調光回路とを結合させる組立工程において、電圧の逆極性等の操作上、或いは過電圧等の使用上の不注意が発生した場合、回路部材の損傷を引き起こし易く、また、上述した不注意によって損傷が発生することを防ぐためには、転換回路に複雑な保護機構（回路）を新たに加えなければならず、これもまた全体のコストを増加させてしまう。
【０００６】
実際の応用において、周知の転換回路は上述した問題があることを鑑み、これ等の問題をどのように改善し、生産コストを有効的に低減し、さらに保護効果を向上させるかが急務となっている。
【考案の概要】
【考案が解決しようとする課題】
【０００７】
本考案の主要な目的は、従来調光回路各種に接続し、これ等調光回路が出力する異なる制御信号を取込んで転換し、低出力の発光ダイオードを制御することができ、従来の光源に応用する調光回路各種も発光ダイオード光源の制御に援用することができ、これによって製品の開発時間及び生産コストを有効に低減し、全体の経済的利益を向上する隔離型調光回路構成を提供することにある。
【０００８】
また、本考案のもう一つの目的は、電圧の逆極性及び過電圧から回路を保護する機能を兼ね備え、操作上或いは使用上の不注意によって引き起こる回路部材の損傷を有効に防止する隔離型調光回路構成を提供することにある。
【課題を解決するための手段】
【０００９】
上述の目的を達成するため、本考案は、制御回路モジュールと、フォトカプラと、保護回路とを包括し、そのうち、前記制御回路モジュールは、直流電源のプラス端子とマイナス端子との間に設置し、センサ信号を入力するための入力端子と制御信号を出力することができる出力端子とを有しており、前記フォトカプラは、前記制御回路モジュールの出力端子に接続する入力端子を有し、さらに光源給電回路の入力端子にそれぞれ接続する二つの出力端子を有し、且つ該光源給電回路の出力端子は、光源体に接続し、前記制御回路モジュールが出力した前記制御信号を入力し、これを操作信号に転換して出力し、前記光源給電回路が前記操作信号を入力することにより異なる出力を形成することで、前記光源体の輝度に変化を有しており、前記保護回路は、第一抵抗、第二抵抗、第一ダイオード、第二ダイオード及び第三ダイオードを有し、前記第一抵抗の一端は前記直流電源のプラス端子に接続し、もう一端は第一ダイオードのアノードに接続して節点Ａを形成し、前記第一ダイオードのカソードは制御入力端子の第一終点に接続し、前記第二抵抗は前記節点Ａと前記制御回路モジュールの入力端子との間に設置し、前記第二ダイオードのカソードは前記直流電源のプラス端子に接続し、前記第二ダイオードのアノードは前記制御入力端子の第二終点に接続し、前記第三ダイオードのカソードは前記制御回路モジュールの入力端子に接続し、前記第三ダイオードのアノードは前記制御入力端子の前記第二終点に接続している。
【００１０】
上述した構成に基づくと、前記制御回路モジュールの入力端子は、コンデンサをさらに介して前記直流電源のマイナス端子に接続することで、前記コンデンサが前記第二抵抗とＲＣ回路を形成している。
【００１１】
上述した構成に基づくと、前記保護回路は、前記制御入力端子の前記第二終点と前記直流電源のマイナス端子との間に設置する過負荷保護素子をさらに有している。
【００１２】
上述した構成に基づくと、前記過負荷保護素子は、ヒューズである。
【００１３】
上述した構成に基づくと、前記過負荷保護素子は、正温度係数を有するサーミスタである。
【００１４】
上述した構成に基づくと、前記光源体は、発光ダイオードである。
【図面の簡単な説明】
【００１５】
【図１】本考案の第一実施例に係る基本的な回路の構成を示す回路図である。
【図２】本考案の第一実施例に係る可変抵抗型の従来調光機構に接続した場合の状況を示す回路図である。
【図３】本考案の第一実施例に係る電圧駆動型の従来調光回路に接続した場合の状況を示す回路図である。
【図４】図３において電圧の極性に逆極性が発生した場合の状況を示す回路図である。
【図５】本考案の第二実施例に係る基本的な回路の構成を示す回路図である。
【図６】本考案の第三実施例に係る基本的な回路の構成を示す回路図である。
【考案を実施するための形態】
【００１６】
図１を参照すると、本考案の第一実施例に係る回路構成は、主に、制御回路モジュール１、フォトカプラ２及び保護回路３等を包括しており、そのうち、前記制御回路１は、直流電源ＶＤＣのプラス端子とマイナス端子との間に設置し、センサ信号を入力するための入力端子１１と制御信号を出力することができる出力端子１２とを有している。
【００１７】
前記フォトカプラ２は、前記制御回路モジュール１の出力端子１２に接続する入力端子２１を有し、且つ前記直流電源ＶＤＣのマイナス端子に接続するもう一つの入力端子２２を有し、さらに光源給電回路４の入力端子４１、４２にそれぞれ接続する二つの出力端子２３、２４を有している。
【００１８】
好ましい実施例において、該光源給電回路４は、発光ダイオードとすることができる光源体５に接続する出力端子４３、４４を有し、且つ前記フォトカプラ２の制御を受けて外部交流電源ＶＡＣを前記光源体５が必要とする直流電源に転換している。
【００１９】
前記保護回路３は、第一抵抗Ｒ１、第二抵抗Ｒ２、第一ダイオードＤ１、第二ダイオードＤ２及び第三ダイオードＤ３を有し、前記第一抵抗Ｒ１の一端は前記直流電源ＶＤＣのプラス端子に接続し、もう一端は第一ダイオードＤ１のアノードに接続して節点Ａを形成し、前記第一ダイオードＤ１のカソードは制御入力端子の第一終点Ｘに接続し、前記第二抵抗Ｒ２は前記節点Ａと前記制御回路モジュール１の入力端子１１との間に設置し、前記第二ダイオードＤ２のカソードは前記直流電源ＶＤＣのプラス端子に接続し、前記第二ダイオードＤ２のアノードは前記制御入力端子の第二終点Ｙに接続し、前記第三ダイオードＤ３のカソードは前記制御回路モジュール１の入力端子１１に接続し、前記第三ダイオードＤ３のアノードは前記制御入力端子の前記第二終点Ｙに接続している。
【００２０】
好ましい実施例において、前記フォトカプラ２の入力端子２１と前記直流電源ＶＤＣのプラス端子との間には電流制限に用いる第三抵抗Ｒ３が設けられ、且つ前記制御回路モジュール１の入力端子１１は、コンデンサＣ１をさらに介して前記直流電源ＶＤＣのマイナス端子に接続することで、前記コンデンサＣ１が前記第二抵抗Ｒ２とＲＣ回路を形成している。
【００２１】
実際の応用において、前記制御入力端子の前記第一終点Ｘ及び前記第二終点Ｙは、外部の従来調光機構或いは回路にある二つの出力接点にそれぞれ接続しており、以下において、異なる駆動方法の従来調光機構或いは回路で、上述した本発明に係る回路の作用をそれぞれ説明する。
【００２２】
まず、図２を参照すると、本考案の第一実施例に係る回路構成に、可変抵抗特性を有する従来調光機構を接続した場合、前記制御入力端子の前記第一終点Ｘ及び前記第二終点Ｙの間に可変抵抗ＲＸが加わったものとなる。
【００２３】
このため、前記第一ダイオードＤ１の電圧降下およそ０．１〜０．２Ｖを差し引くと、前記節点Ａの電圧ＶＡは、数式ＶＡ＝ＶＤＣ×（ＲＸ／（ＲＡ＋ＲＸ））となり、前記電圧ＶＡは前記第二抵抗Ｒ２を介し、前記コンデンサＣ１に対して充電することで、前記制御回路モジュール１の入力端子１１を介して前記制御回路モジュール１に入力するセンサ信号を形成し、前記制御回路モジュール１は前記制御回路モジュール１の出力端子１２からこれに対応する制御信号を出力し、前記制御信号は前記フォトカプラ２の入力端子２１を介して前記フォトカプラ２に入力し、さらに前記フォトカプラ２の出力端子２３、２４から操作信号を出力し、前記操作信号は前記光源給電回路４の入力端子４１、４２を介して前記光源給電回路４に入力し、前記光源給電回路４は前記光源給電回路４の出力端子４３、４４を介して前記光源体５の発光を駆動している。
【００２４】
また、異なる抵抗負荷ＲＸによって異なるセンサ信号が発生して前記制御回路モジュール１に入力し、さらに前記フォトカプラ２、前記光源給電回路４をそれぞれ介して前記光源体５に異なる輝度の光線を発生させていることから、外部の可変抵抗型の従来調光機構が本発明に係る回路構成を介することで、発光ダイオードである前記光源体５に異なる輝度の光線を発生させる効果を達している。
【００２５】
次に、図３を参照すると、本考案の第一実施例に係る回路構成に、直流電圧駆動特性を有する従来調光機構を接続した場合、前記制御入力端子の前記第一終点Ｘ及び前記第二終点Ｙの間に直流駆動電圧ＶＸが加わったものとなり、本図面で示している実施例において、前記直流駆動電圧ＶＸは前記制御入力端子の前記第一終点Ｘ及び前記第二終点Ｙの間に順方向に接続、即ち、前記直流駆動電圧ＶＸの陽極は前記第一終点Ｘに接続し、前記直流駆動電圧ＶＸの陰極は前記第二終点Ｙに接続している。
【００２６】
前記直流駆動電圧ＶＸが前記直流電源ＶＤＣより小さいと、前記節点Ａの電圧ＶＡ′は、数式ＶＡ′＝ＶＸ＋（０．１〜０．２）Ｖとなり、前記電圧ＶＡ′は前記第二抵抗Ｒ２を介し、前記コンデンサＣ１に対して充電することで、前記制御回路モジュール１の入力端子１１を介して前記制御回路モジュール１に入力するセンサ信号を形成しており、なお、その後の前記フォトカプラ２を介して前記光源給電回路４を駆動し、前記光源体５が発光する工程は、上述の図２を参照した部分で開示した工程と同一である。
【００２７】
前記直流駆動電圧ＶＸが前記直流電源ＶＤＣより大きいと、前記第一ダイオードＤ１のカソードは電圧ＶＸ、前記第一ダイオードＤ１のアノードは電圧ＶＤＣとなり、前記直流電源ＶＤＣが前記直流駆動電圧ＶＸより小さいため、前記第一ダイオードＤ１は導通できなくなることから、前記制御回路モジュール１、前記フォトカプラ２及び前記光源給電回路４等の部材に対して過電圧から保護することができる。
【００２８】
次に、図４を参照すると、本考案の第一実施例に係る回路構成に、直流電圧駆動特性を有する従来調光機構を接続した場合、前記制御入力端子の前記第一終点Ｘ及び前記第二終点Ｙの間に直流駆動電圧ＶＸが加わったものとなり、本図面で示している実施例において、前記直流駆動電圧ＶＸは前記制御入力端子の前記第一終点Ｘ及び前記第二終点Ｙの間に逆方向に接続、即ち、前記直流駆動電圧ＶＸの陰極は前記第一終点Ｘに接続し、前記直流駆動電圧ＶＸの陽極は前記第二終点Ｙに接続している。
【００２９】
前記直流駆動電圧ＶＸが前記直流電源ＶＤＣより小さいと、前記第二ダイオードＤ２のカソードは電圧ＶＤＣ、前記第二ダイオードＤ２のアノードは電圧ＶＸとなり、前記直流電源ＶＤＣが前記直流駆動電圧ＶＸより大きいため、前記第二ダイオードＤ２は導通できなくなることから、前記制御回路モジュール１、前記フォトカプラ２及び前記光源給電回路４等の部材に対して電圧の逆極性から保護することができる。
【００３０】
前記直流駆動電圧ＶＸが前記直流電源ＶＤＣより大きいと、前記第二ダイオードＤ２のカソードは電圧ＶＤＣ、前記第二ダイオードＤ２のアノードは電圧ＶＸとなり、前記直流電源ＶＤＣが前記直流駆動電圧ＶＸより小さいため、前記第二ダイオードＤ２は導通し、電流は前記第二終点Ｙより前記第二ダイオードＤ２、前記第一抵抗Ｒ１、前記第一ダイオードＤ１をそれぞれ介して前記第一終点Ｘに流れ、回路を形成することから、前記制御回路モジュール１及び前記フォトカプラ２等の部材に対して過電圧及び電圧の逆極性から保護することができる。
【００３１】
実際の応用において、本考案に係る回路構成に、ＰＷＭ駆動特性を有する従来調光機構を接続した場合、前記制御入力端子の前記第一終点Ｘ及び前記第二終点Ｙの間にＰＷＭ信号が加わったものとなり、前記ＰＷＭ信号がＨＩ電圧の時、電圧ＶＸ′であった場合、実施上において以下納様な状況が発生する。
【００３２】
前記電圧ＶＸ′が前記直流電源ＶＤＣより小さく、且つ前記制御入力端子の前記第一終点Ｘ及び前記第二終点Ｙの間に順方向に接続、即ち、前記電圧ＶＸ′の陽極が前記第一終点Ｘに接続し、前記電圧ＶＸ′の陰極が前記第二終点Ｙに接続すると、前記節点Ａの電圧ＶＡ″は、数式ＶＡ″＝ＶＸ′＋（０．１〜０．２）Ｖとなり、前記電圧ＶＡ″は前記第二抵抗Ｒ２を介し、前記コンデンサＣ１に対して充電しており、前記ＰＷＭ信号がＬＯ電圧に変化した時、前記コンデンサＣ１は放電することから、前記制御回路モジュール１の入力端子１１から等価のセンサ信号（均一な直流電圧値）を得て、さらに前記制御回路モジュール１の出力端子１２からこれに対応する制御信号を出力し、前記制御信号は前記フォトカプラ２の入力端子２１を介して前記フォトカプラ２に入力し、前記フォトカプラ２の入力端子２２から操作信号を出力し、前記操作信号は前記光源給電回路４の入力端子４１、４２を介して前記光源給電回路４に入力し、前記光源給電回路４は前記光源給電回路４の出力端子４３、４４を介して前記光源体５の発光を制御している。
【００３３】
そのため、異なるＰＷＭ信号も異なるセンサ信号が発生して前記制御回路モジュール１に入力し、さらに前記フォトカプラ２、前記光源給電回路４をそれぞれ介して前記光源体５に異なる輝度の光線を発生させていることから、外部のＰＷＭ信号型の従来調光機構が本発明に係る回路構成を介することで、発光ダイオードである前記光源体５に異なる輝度の光線を発生させる効果を達している。
【００３４】
前記電圧ＶＸ′が前記直流電源ＶＤＣより小さく、且つ前記制御入力端子の前記第一終点Ｘ及び前記第二終点Ｙの間に逆方向に接続すること、或いは前記電圧ＶＸ′が前記直流電源ＶＤＣより大きいこと等の様々な場合、前記ＰＷＭ信号がＨＩ電圧の時、各工程は上述の図３及び図４を参照した部分で開示した内容と相似するため、ここでは示唆せず、前記ＰＷＭ信号がＬＯ電圧に変化した時、各部材は作用しないため、本考案に係る回路構成を従来のＰＷＭ駆動の調光回路に応用した時も、過電圧及び電圧の逆極性から保護できることはいうまでもない。
【００３５】
好ましい実施例において、本考案に係る回路構成は、ニーズに応じて前記制御入力端子の前記第二終点Ｙと前記直流電源ＶＤＣのマイナス端子との間に過負荷保護素子Ｆを設置することができ、前記過負荷保護素子Ｆは、ヒューズ或いは正温度係数（ＰＴＣ）を有するサーミスタとすることができ、前記過負荷保護素子Ｆによって温度に異常が発生した際、本考案に係る回路構成と従来調光回路との接続を遮断することで、高い温度によって各部材が損傷することを防いでいる。
【００３６】
次に、図５を参照すると、本考案の第二実施例に係る回路構成は、上述した第一実施例に係る回路構成を基礎としており、主に、制御回路モジュール１０、上述した第一実施例と同一であるフォトカプラ２及び上述した第一実施例と同一である保護回路３等を包括しており、その差異は、前記直流電源ＶＤＣが前記第一抵抗Ｒ１に直接接続されておらず、且つ前記制御回路モジュール１０が電流源を組み込む回路構成であることにある。
【００３７】
上述した第二実施例に係る回路構成に、可変抵抗特性を有する従来調光機構を接続した場合、前記制御入力端子の前記第一終点Ｘ及び前記第二終点Ｙの間に可変抵抗ＲＸが加わったものとなる。この時、前記制御回路モジュール１０は前記制御回路モジュール１０の入力端子１１から電流Ｉを出力し、前記電流Ｉは前記第二抵抗Ｒ２、前記第一ダイオードＤ１及び前記可変抵抗ＲＸをそれぞれ流れた後、前記可変抵抗ＲＸの両端において数式ＶＸ＝Ｉ×ＲＸとなる電圧降下を形成し、前記可変抵抗ＲＸが変化すると、電圧ＶＸもこれに伴い変化するため、前記節点Ａ上に発生する電圧ＶＡ′は、数式ＶＡ′＝ＶＸ＋（０．１〜０．２）Ｖとなる。
【００３８】
前記電圧ＶＡ′は前記第二抵抗Ｒ２を介し、前記コンデンサＣ１に対して充電することで、前記制御回路モジュール１０の入力端子１１を介して前記制御回路モジュール１０に入力するセンサ信号を形成し、前記制御回路モジュール１０は前記制御回路モジュール１０の出力端子１２からこれに対応する制御信号を出力し、前記制御信号は前記フォトカプラ２の入力端子２１を介して前記フォトカプラ２に入力し、さらに前記フォトカプラ２の出力端子２３、２４から操作信号を出力し、前記操作信号は前記光源給電回路４の入力端子４１、４２を介して前記光源給電回路４に入力し、前記光源給電回路４は前記光源給電回路４の出力端子４３、４４を介して前記光源体５の発光を駆動することにより、もう一つの応用形態を形成している。
【００３９】
次に、図６を参照すると、本考案の第三実施例に係る回路構成は、上述した第一実施例に係る回路構成を基礎としており、主に、フォトカプラ２０、上述した第一実施例と同一である制御回路モジュール１及び上述した第一実施例と同一である保護回路３等を包括しており、その差異は、前記フォトカプラ２０の二つの入力端子が前記第三抵抗Ｒ３と前記制御回路モジュール１の出力端子１２との間に設けられていることから、前記フォトカプラ２０は、前記前記制御回路モジュール１の出力端子１２と逆相の制御信号を得て、前記フォトカプラ２０もこれに伴い逆相の操作信号を出力することにより、もう一つの応用形態を形成している。
【００４０】
以上のことから、本考案に係る隔離型調光回路構成は、従来調光回路を援用してＬＥＤ光源の発光を制御することを確実に達成し、製品の開発時間及び生産コストを有効に低減し、且つ各種保護機能を兼ね備えているだけでなく、新規性及び進歩性を備えている。なお、上述した内容は、本考案の好ましい実施例を開示しただけであって、本発明の技術的手段及びこれを基に行った変化及び修正等は、本発明に属するものである。
【符号の説明】
【００４１】
１      制御回路モジュール
１０    制御回路モジュール
１１    制御回路モジュールの入力端子
１２    制御回路モジュールの出力端子
２      フォトカプラ
２０    フォトカプラ
２１    フォトカプラの入力端子
２２    フォトカプラの入力端子
２３    フォトカプラの出力端子
２４    フォトカプラの出力端子
３      保護回路
４      光源給電回路
４１    光源給電回路の入力端子
４２    光源給電回路の入力端子
４３    光源給電回路の出力端子
４４    光源給電回路の出力端子
５      光源体
Ａ      節點
Ｃ１    コンデンサ
Ｄ１    第一ダイオード
Ｄ２    第二ダイオード
Ｄ３    第三ダイオード
Ｆ      過負荷保護素子
Ｒ１    第一抵抗
Ｒ２    第二抵抗
Ｒ３    第三抵抗
ＲＸ    可変抵抗
ＶＡＣ  交流電源
ＶＤＣ  直流電源
ＶＸ    直流駆動電圧
Ｘ      制御入力端子の第一終点
Ｙ    制御入力端子の第二終点
【図１】
0003195920.tif 000003
【図２】
0003195920.tif 000004
【図３】
0003195920.tif 000005
【図４】
0003195920.tif 000006
【図５】
0003195920.tif 000007
【図６】
0003195920.tif 000008